(57)【要約】【課題】  貯湯タンクにおける発熱体等の接続端子部を保護する構造を設けて、タンク周囲に突出しない構造にすることで、貯湯タンクの外形寸法を小さくでき、貯湯タンクを容易に並列設置する。【解決手段】  全体が扁平形状に成る貯湯タンク２に、発熱本体部１３と接続端子部１４から成る発熱体７と、水を補給する給水管８と、温水を排出する給湯管９と、を備えた貯湯式電気温水器１であって、貯湯タンク２の側壁４に凹部（筒状部材１０）を設け、発熱体７の発熱本体部１３は、貯湯タンク２内に凹部に向け、発熱体７の接続端子部１４は、貯湯タンク２の側壁４面から突出しないように凹部内に取り付けた。【選択図】  図２
2005351568.tif 000002
【特許請求の範囲】
【請求項１】
全体が扁平形状に成る貯湯タンク（２）に、発熱本体部（１３）と接続端子部（１４）とから成る発熱体（７）と、水を補給する給水管（８）と、温水を排出する給湯管（９）と、を備えた貯湯式電気温水器（１）であって、
前記貯湯タンク（２）の側壁（４）に凹部を設け、
前記発熱体（７）の発熱本体部（１３）は、前記貯湯タンク（２）内に向け、該発熱体（７）の接続端子部（１４）は、前記貯湯タンク（２）の側壁（４）面から突出しないように、前記凹部内に取り付けた、ことを特徴とする貯湯式電気温水器の端子部保護構造。
【請求項２】
前記貯湯タンク（２）の側壁（４）に開けたタンク開口部（５）に、一側に鍔状の張出部（１１）を形成し、他側に通孔（１２）を開けた筒状部材（１０）を、該通孔（１２）側を前記貯湯タンク（２）内へ向けて取り付け、
該筒状部材（１０）の通孔（１２）に、前記発熱体（７）を、前記貯湯タンク（２）内に向けて貫通させ、前記接続端子部（１４）が前記筒状部材（１０）の空間内に配置されるように取り付けた、ことを特徴とする請求項１の貯湯式電気温水器の端子部保護構造。
【請求項３】
全体が扁平形状に成る貯湯タンク（２）に、発熱体（７）と、水を補給する給水管（８）と、温水を排出する給湯管（９）と、温水の温度を検知する湯温センサとを備えた貯湯式電気温水器（１）であって、
前記貯湯タンク（２）の側壁（４）に凹部を設け、
前記湯温センサは、貯湯タンク（２）内に向け、該湯温センサの接続端子部は、前記貯湯タンク（２）の側壁（４）面から突出しないように、前記凹部内に取り付けた、ことを特徴とする貯湯式電気温水器の端子部保護構造。
【請求項４】
全体が扁平形状に成る貯湯タンク（２）に、発熱体（７）と、水を補給する給水管（８）と、温水を排出する給湯管（９）と、温水温度が異常に上昇することを防止する過昇防止サーモを備えた貯湯式電気温水器（１）であって、
前記貯湯タンク（２）の側壁（４）に凹部を設け、
前記過昇防止サーモは、貯湯タンク（２）内に向け、該過昇防止サーモの接続端子部は、前記貯湯タンク（２）の側壁（４）面から突出しないように、前記凹部内に取り付けた、ことを特徴とする貯湯式電気温水器の端子部保護構造。
【発明の詳細な説明】
【技術分野】
【０００１】
本発明は、貯湯タンク内に発熱体を設けた貯湯式電気温水器に係り、特に貯湯タンクの周囲に発熱体等の部品の端子部分を保護する構造にした貯湯式電気温水器の端子部保護構造に関するものである。
【背景技術】
【０００２】
貯湯式電気温水器は、電気料金の安い夜間電力を利用して沸かした温水を貯湯タンクに貯蔵しておき、昼間のピーク時にその温水を使用するものである。タンクの形状及び配置に関する先行技術としては、特許文献１の特開２００４−１０１０９８公報「貯湯式電気温水器及びこの電気温水器の貯湯方法」に示すように、貯湯タンクについて、横方向又は縦方向の何れにも並列できるように、複数に分割してユニット化し、設置しやすいように、全体を薄型の扁平形状に形成し、タンクの周囲に断熱材を貼り付けた構造のものが提案されている。
【特許文献１】特開２００４−１０１０９８
【０００３】
このようなユニット化した貯湯タンクは、図３に示すように、貯湯タンク５１を横方向に並列設置しやすいように、全体を薄型の扁平形状に形成し、この薄型の貯湯タンク５１の底部近くのタンク側壁に設けた給水管５２から水を補給し、貯湯タンク５１の底部近くのタンク側壁に設けた発熱体５３で加熱した温水を、貯湯タンク５１の上部に設けた給湯管５４を通して排出するようになっている。
【発明の開示】
【発明が解決しようとする課題】
【０００４】
しかし、この従来の貯湯タンク５１では、発熱体５３の接続端子部５５が貯湯タンク５１の側方に大きく突出していた。そのために、図４に示すように、このような構成の貯湯タンク５１に断熱材５６を貼り付けものを横方向に並列設置するときに、これらの発熱体５３の接続端子部５５が邪魔になるので、広い設置空間が必要になるとう問題を有していた。同様に、発熱体５３以外にも湯温センサの接続端子や過昇防止サーモの接続端子も突出していることが多かった。
【０００５】
また、貯湯タンク５１から大きく突出した接続端子部５５は、貯湯タンク５１の取り付け作業の際に邪魔になることが多いため、設置作業や運搬作業の際に、この接続端子部分５４を破損するという問題を有していた。
【０００６】
本発明は、かかる問題点を解決するために創案されたものである。すなわち、本発明の目的は、貯湯タンクにおける発熱体等の接続端子部を保護する構造を設けて、タンク周囲に突出しない構造にすることで、貯湯タンクの外形寸法を小さくでき、貯湯タンクを容易に並列設置することができる貯湯式電気温水器の端子部保護構造を提供することにある。
【課題を解決するための手段】
【０００７】
本発明によれば、全体が扁平形状に成る貯湯タンク（２）に、発熱本体部（１３）と接続端子部（１４）とから成る発熱体（７）と、水を補給する給水管（８）と、温水を排出する給湯管（９）と、を備えた貯湯式電気温水器（１）であって、前記貯湯タンク（２）の側壁（４）に凹部を設け、前記発熱体（７）の発熱本体部（１３）は、前記貯湯タンク（２）内に向け、該発熱体（７）の接続端子部（１４）は、前記貯湯タンク（２）の側壁（４）面から突出しないように、前記凹部内に取り付けた、ことを特徴とする貯湯式電気温水器の端子部保護構造が提供される。
【０００８】
前記貯湯タンク（２）の側壁（４）に開けたタンク開口部（５）に、一側に鍔状の張出部（１１）を形成し、他側に通孔（１２）を開けた筒状部材（１０）を、該通孔（１２）側を前記貯湯タンク（２）内へ向けて取り付け、該筒状部材（１０）の通孔（１２）に、前記発熱体（７）を、前記貯湯タンク（２）内に向けて貫通させ、前記接続端子部（１４）が前記筒状部材（１０）の空間内に配置されるように取り付けた。
【０００９】
全体が扁平形状に成る貯湯タンク（２）に、発熱体（７）と、水を補給する給水管（８）と、温水を排出する給湯管（９）と、温水の温度を検知する湯温センサとを備えた貯湯式電気温水器（１）であって、前記貯湯タンク（２）の側壁（４）に凹部を設け、  前記湯温センサは、貯湯タンク（２）内に向け、該湯温センサの接続端子部は、前記貯湯タンク（２）の側壁（４）面から突出しないように、前記凹部内に取り付けた。
【００１０】
または、全体が扁平形状に成る貯湯タンク（２）に、発熱体（７）と、水を補給する給水管（８）と、温水を排出する給湯管（９）と、温水温度が異常に上昇することを防止する過昇防止サーモを備えた貯湯式電気温水器（１）であって、前記貯湯タンク（２）の側壁（４）に凹部を設け、前記過昇防止サーモは、貯湯タンク（２）内に向け、該過昇防止サーモの接続端子部は、前記貯湯タンク（２）の側壁（４）面から突出しないように、前記凹部内に取り付けた。
【発明の効果】
【００１１】
上記構成の発明では、貯湯タンク（２）の側壁（４）に筒状部材（１０）等の凹部を設け、該凹部（筒状部材（１０））に、取り付けた発熱体（７）の接続端子部（１４）が、貯湯タンク（２）の側壁（４）面から突出していない。そのために、複数の貯湯タンク（２）を横方向に並列設置するときに、発熱体（７）の接続端子部（１４）が邪魔にならず、従来の貯湯タンクのように広い設置空間が必要なくなる。
【００１２】
また、発熱体（７）の接続端子部（１４）の他に、湯温センサや過昇防止サーモ等の温度制御に供する部品の接続端子部を、筒状部材（１０）等の凹部に格納するように取り付け、貯湯タンク（２）の周囲からの突起部品をなくすことができる。
【００１３】
このように貯湯タンク（２）の外形寸法が小さくなるので、貯湯タンク（２）をその横方向に隙間なく並列配置することができる。また、貯湯タンク（２）から突起部品がないので、貯湯タンク（２）の搬送作業や設置作業を容易に実施することができる。
【発明を実施するための最良の形態】
【００１４】
本発明は、全体が扁平形状に成る貯湯タンク内に、発熱体、水を補給する給水管、温水を排出する給湯管と、を備えた貯湯式電気温水器である。特に、貯湯タンクの側壁に凹部を形成し、この凹部に発熱体等の接続端子部が貯湯タンクの側壁面から突出しないように構成したものである。
【実施例１】
【００１５】
以下、本発明の好ましい実施の形態を図面を参照して説明する。
図１は本発明の端子部保護構造を構成する貯湯式電気温水器の貯湯タンクの内部構造を示す正断面図である。図２は本発明の端子部保護構造を示す拡大断面図である。
本発明の貯湯式電気温水器１の貯湯タンク２は、例えば１２０リットル程度の温水を貯蔵できるように、全体を薄型の扁平形状に形成し、その周囲に断熱材３を貼り付けたものである。この貯湯タンク２は、合成樹脂製のブロー成型により製造する。例えば、ＰＰＥ（ポリフェノールエチレン）等の合成樹脂材を用いる。本発明では  建築構造体への負担を軽減するために、貯湯タンク２を軽量化してある。但し、タンクとして常時０．１ＭＰａの耐圧力、常時８５℃から最高１００℃程度の耐熱性能を有する合成樹脂材であれば、このＰＰＥに限定されず他の合成樹脂材に種々変更できる。
【００１６】
本発明の貯湯タンク２は、その両側の側壁４それぞれに開口部５を開け、各開口部５にフランジ６を着脱自在に取り付けたものである。このフランジ６に、棒状の発熱体７、給水管８、給湯管９、湯温センサ又は過昇防止サーモ等を貫通するように取り付け、このフランジ６を介して貯湯タンク２の開口部５に着脱自在に取り付ける。本発明の貯湯式電気温水器１は、このように配置した発熱体７と、湯温センサ、過昇防止サーモ等を用い、電気料金の安い夜間電力を利用して湯を安全に沸かようになっている。
【００１７】
貯湯タンク２の周囲に真空断熱材等の断熱材３を取り付ける。この断熱材３は、１３時間放置後の温度低下が２０度未満を満足する程度の素材が必要である。なお、貯湯タンク２の内部構造は、発熱体７と給水管８と給湯管９等の配置は、図示例の構造に限定されない。
【００１８】
図２に示すように、一箇所の開口部５には、円板形状のフランジ６に代えて、凹部を形成するための筒状部材１０を貯湯タンク２内へ突出するように取り付けてある。この筒状部材１０は、その一側の開口に鍔状の張出部１１を形成し、他側に通孔１２を形成したものである。筒状部材１０はその筒部分と通孔１２を貯湯タンク２内へ向け、張出部１１を貯湯タンク２の開口部５に取り付ける構造になっている。
【００１９】
筒状部材１０の通孔１２に発熱体７の発熱本体部１３を貫通させて取り付け、接続端子部１４は筒状部材１０の筒空間内に配置されるように取り付ける。これにより、接続端子部１４を、貯湯タンク２の側壁４面から突出させずに保護することができる。
【００２０】
なお、貯湯タンク２の壁面に筒状部材１０を設けて凹部を形成し、この凹部空間内に接続端子部を格納して貯湯タンク２の周囲に突起物を出さないものであれば、保護する部品は発熱体７の接続端子部１４に限定されない。例えば、図示していないが、温水の温度を検知する湯温センサについて、貯湯タンク２内に向けて設けた凹部に、この湯温センサの接続端子部を取り付けて貯湯タンク２の壁面から接続端子部を突出させずに保護することができる。
【００２１】
または、温水温度が異常に上昇することを防止する過昇防止サーモについて、貯湯タンク２内に向けて設けた凹部に、この過昇防止サーモの接続端子部を取り付けて貯湯タンク２の壁面から接続端子部を突出させずに保護することができる。
【００２２】
このように、貯湯タンク２の側壁４に凹部を形成する筒状部材１０内に、発熱体７、その他の部品等の接続端子部１４が貯湯タンク２の側壁４から突出しないように保護する構造である。そのために、この接続端子部１４の突出部分だけ、隣接する貯湯タンク２の間隔を狭めて並列設置することができる
【００２３】
なお、本発明は、貯湯タンク２を構成する凹部となる筒状部材１０を設け、接続端子部１４を突出させないように発熱体７、その他の端子を有する部品を取り付けることができる構成であれば、上述した発明の実施の形態に限定されず、本発明の要旨を逸脱しない範囲で種々変更できることは勿論である。
【産業上の利用可能性】
【００２４】
本発明の貯湯式電気温水器の端子部保護構造は、主に全体が薄型の扁平形状の貯湯タンクに利用することができるが、貯湯タンクに筒状部材のような凹部を設け、その空間に端子部分を収納するように取り付けた構造の貯湯タンクであれば、従来の縦型の円筒形状の貯湯タンク等にも利用することができる。
【図面の簡単な説明】
【００２５】
【図１】本発明の端子部保護構造を構成する貯湯式電気温水器の貯湯タンクの内部構造を示す正断面図である。
【図２】本発明の端子部保護構造を示す拡大断面図である。
【図３】従来の発熱体構造を備えた貯湯タンクを示す正断面図である。
【図４】従来の発熱体構造を備えた貯湯タンクを横方向に並列した状態を示す正断面図である。
【符号の説明】
【００２６】
１  貯湯式電気温水器
２  貯湯タンク
４  タンク側壁
５  開口部
６  フランジ
７  発熱体
８  給水管
９  給湯管
１０  筒状部材
１１  張出部
１２  通孔
１３  発熱体本体部
１４  接続端子部
【図１】
2005351568.tif 000003
【図２】
2005351568.tif 000004
【図３】
2005351568.tif 000005
【図４】
2005351568.tif 000006